【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
複数の供給源（２、３）からの可聴信号（７、８）を処理するオーディオ処理装置であって、該オーディオ処理装置（１０）は、複数のオーディオチャネル（４３）において該可聴信号（７、８）を処理するように構成され、該複数のチャネルに対するオーディオ処理設定を調整する調整部材（３３、３４；７５、７６、７７）を有し、
該オーディオ処理装置（１０）は、
該可聴信号（７、８）を受信する複数の入力（１４、１５）と、
該複数の入力（１４、１５）とは別個のデジタルインターフェイス（１６）であって、少なくとも１つの供給源（２、３）の状態を示す状態データを受信するように構成されている、デジタルインターフェイス（１６）と、
グラフィックス表示領域の複数の群（２１〜２８）を有する光出力デバイス（１１）であって、該群（２１〜２８）のうちの各々１つは、複数のグラフィックス表示領域を含み、該複数のオーディオチャネル（４３）のうちの１つにそれぞれ割り当てられる、光出力デバイス（１１）と、
該インターフェイス（１６）および該光出力デバイス（１１）に結合された制御デバイス（１２）であって、該制御デバイス（１２）は、該状態データを受信することと、該受信された状態データに基づいてグラフィックス表示領域（５１〜５７、６１）の少なくとも１つの群（２１〜２８）を決定することと、該受信された状態データに基づいて生成されたグラフィックス（６２、６３）を表示するために、該決定された少なくとも１つの群（２１〜２８）のグラフィックス表示領域（２９；６１）を制御することとを行うように構成されている、制御デバイス（１２）と
を備えている、オーディオ処理装置。
【請求項２】
前記制御デバイス（１２）は、前記受信された状態データから供給源識別子を検索することと、該供給源識別子に基づいて、前記少なくとも１つの供給源（２、３）からの可聴信号（７、８）が提供されるオーディオチャネルを識別することと、該識別されたオーディオチャネルに基づいてグラフィックス表示領域（５１〜５７、６１）の該少なくとも１つの群（２１〜２８）を決定することとを行うように構成されている、請求項１に記載のオーディオ処理装置。
【請求項３】
第１のマッピングデータ（１７）を格納するメモリー（１３）であって、該マッピングデータ（１７）は、複数の供給源識別子と前記複数の入力（１４、１５）のうちのそれぞれの１つとの間のマッピングを規定する、メモリー（１３）をさらに備え、
前記制御デバイス（１２）は、該第１のマッピングデータ（１７）に基づいて前記オーディオチャネルを識別するように構成されている、請求項２に記載のオーディオ処理装置。
【請求項４】
前記メモリー（１３）は、第２のマッピングデータ（１８）を格納し、該第２のマッピングデータ（１８）は、前記複数の入力（１４、１５）と前記複数のオーディオチャネル（４３）のうちのそれぞれの１つとの間のマッピングを規定し、
前記制御デバイス（１２）は、前記第１のマッピングデータ（１７）と、該第２のマッピングデータ（１８）と、前記供給源識別子とに基づいて該オーディオチャネルを識別するように構成されている、請求項３に記載のオーディオ処理装置。
【請求項５】
前記制御デバイス（１２）は、前記第２のマッピングデータ（１８）が修正されるかどうかを決定することと、該第２のマッピングデータ（１８）が修正される場合に、前記少なくとも１つの供給源（２、３）から前記可聴信号（７、８）が提供される別のチャネルを選択的に識別することとを行うように構成されている、請求項４に記載のオーディオ処理装置。
【請求項６】
前記制御デバイス（１２）は、前記第２のマッピングデータ（１８）に基づいて前記可聴信号（７、８）を処理することと、前記決定された少なくとも１つの群（２１〜２８）の別のグラフィックス表示領域（５２〜５７）を制御して、前記それぞれのオーディオチャネルに対する前記オーディオ処理設定に基づいて生成されるグラフィックスを表示することとを行うように構成されている、請求項４に記載のオーディオ処理装置。
【請求項７】
前記少なくとも１つの供給源（２、３）のうちの供給源（２、３）から受信された前記状態データは、それぞれの供給源を識別する固有の前記供給源識別子と、該それぞれの供給源の状態を記載するパラメータ値とを含み、該パラメータ値は、バッテリーレベル、ＲＦ信号強度、該供給源によって供給されるオーディオレベル、ラジオ周波数、および該供給源（２、３）において設定される供給源ミュート状態のうちの１つまたはいくつかについての情報を含む、請求項４に記載のオーディオ処理装置。
【請求項８】
前記制御デバイス（１２）は、前記検索された供給源識別子に基づいて供給源状態記録（１９）の一部分を更新することと、該供給源状態記録（１９）にアクセスして、前記少なくとも１つのグラフィックス表示領域（２９；６１）を制御し、前記グラフィックス（６２、６３）を表示することとを行うように構成されている、請求項２に記載のオーディオ処理装置。
【請求項９】
前記光出力デバイス（１１）は、グラフィックス表示領域（５１、６１）の作動を感知することと、作動が感知された場合には作動信号を生成することとを行うように構成され、
前記制御デバイス（１２）は、該作動信号に基づいて、前記受信された状態データに基づいて生成された前記グラフィックス（６２、６３）に対する表示モードを調整するように構成されている、請求項１に記載のオーディオ処理装置。
【請求項１０】
前記制御デバイス（１２）は、前記光出力デバイス（１１）が前記作動信号を生成した場合、前記受信された状態データに基づいて生成された前記グラフィックス（６２、６３）が表示される領域を拡大するように構成されている、請求項９に記載のオーディオ処理装置。
【請求項１１】
前記デジタルインターフェイス（１６）は、Ｅｔｈｅｒｎｅｔ（登録商標）インターフェイス（１６）である、請求項１〜１０のいずれか一項に記載のオーディオ処理装置。
【請求項１２】
前記状態データは、前記少なくとも１つの供給源（２、３）のバッテリーレベルと、該少なくとも１つの供給源（２、３）のＲＦ信号強度と、該少なくとも１つの供給源（２、３）によって供給されるオーディオレベルと、該少なくとも１つの供給源（２、３）のラジオ周波数と、該少なくとも１つの供給源（２、３）において設定される供給源ミュート状態とから成る群から選択されるデータを含む、請求項１〜１０のいずれか一項に記載のオーディオ処理装置。
【請求項１３】
前記状態データは、前記少なくとも１つの供給源（２、３）を識別する供給源識別子をさらに含む、請求項１２に記載のオーディオ処理装置。
【請求項１４】
可聴信号（７、８）のための複数の供給源（２、３）と、
請求項１〜１０のいずれか一項に記載の前記オーディオ処理装置（１０）と
を備え、
該複数の供給源（２、３）は、該オーディオ処理装置（１０）の前記複数の入力（１４、１５）に結合されて、該オーディオ処理装置（１０）に該可聴信号（７、８）を提供し、該複数の供給源（２、３）は、前記デジタルインターフェイス（１６）に結合されて、該デジタルインターフェイス（１６）に前記状態データを提供する、オーディオシステム。
【請求項１５】
前記複数の供給源（２、３）および前記オーディオ処理装置（１０）に結合されているハブデバイス（４）をさらに備え、
該ハブデバイス（４）は、該供給源（２、３）のうちの各々１つに対するパラメータ値の所定の群を監視し、該パラメータ値のうちの１つに変化が検出された場合、該供給源状態データを送信するように構成されている、請求項１４に記載のオーディオシステム。
【請求項１６】
前記複数の供給源（２、３）は、複数のマイクロホンであり、
前記ハブデバイス（４）および前記複数の供給源（２、３）は、該ハブデバイス（４）と該複数の供給源（２、３）との間でデータを無線で送信するように構成されている、請求項１５に記載のオーディオシステム。
【請求項１７】
複数のオーディオチャネル（４３）において可聴信号（７、８）を処理するオーディオ処理装置（１０）の光出力デバイス（１１）についての状態情報を出力する方法であって、該方法は、
該オーディオ処理装置（１０）によって、複数の供給源（２、３）から可聴信号（７、８）を受信することと、
該オーディオ処理装置（１０）のデジタルインターフェイス（１６）を介して、該複数の供給源（２、３）の少なくとも１つの供給源（２、３）の状態を表す状態データを受信することと、
該受信された状態データに基づいて、該少なくとも１つの供給源（２、３）からの可聴信号（７、８）が処理される少なくとも１つのオーディオチャネルを決定することと、
該受信された状態データに基づいて生成されたグラフィックス（６２、６３）および該決定された少なくとも１つのオーディオチャネルに対するオーディオ処理設定に基づいて生成されたグラフィックスが、該決定された少なくとも１つのオーディオチャネルに割り当てられるグラフィックス表示領域（５１〜５７、６１）の群（２１〜２８）を介して同時に出力されるように、該オーディオ処理装置（１０）の該光出力デバイス（１１）を制御することと
を包含する、方法。